(57)【要約】【課題】内容物を飲み終えて容器を減容化した際に、隠蔽情報を確認することができるとともに、環境に配慮した減容化に対応した飲料用紙容器を提供する。【解決手段】少なくとも胴部２と、この胴部２の上端に設けた天部３と、胴部２の下端に設けた底部４とからなる容器であって、少なくとも天部３または／および底部４に解体補助線１１を設けた減容可能とし、容器の内側には、情報データを有する隠蔽情報１０を設けた。【選択図】図７
2014156249.tif 000002
【特許請求の範囲】
【請求項１】
少なくとも胴部と、
該胴部の上端に設けた天部と、
前記胴部の下端に設けた底部と、
からなる容器であって、
少なくとも前記天部または／および前記底部に解体補助線を設けた減容可能な飲料用紙容器において、
前記容器の内側には、情報データを有する隠蔽情報を設けたことを特徴とする飲料用紙容器。
【請求項２】
前記容器の減容時に、前記解体補助線による前記容器の解体開口部から前記隠蔽情報を視認可能とした前記胴部内に、前記隠蔽情報を設けたことを特徴とする、請求項１に記載の飲料用紙容器。
【請求項３】
前記隠蔽情報は、前記天部または前記底部の前記解体補助線による解体開口部の内側面に設けたことを特徴とする、請求項１または２に記載の飲料用紙容器。
【請求項４】
前記隠蔽情報が、インキジェットプリンター用インキおよびレーザープリンター用トナーインキを用いて印字していることを特徴とする、請求項１〜３のいずれかに記載の飲料用紙容器。
【発明の詳細な説明】
【技術分野】
【０００１】
本発明は、少なくとも胴部と、該胴部の上端に設けた天部と、前記胴部の下端に設けた底部とからなる容器であって、少なくとも前記天部または／および前記底部に解体補助線を設けた減容可能な飲料用紙容器に関し、より詳細には、前記容器の内側には、情報データを有する隠蔽情報を設けた飲料用紙容器に関する。
【背景技術】
【０００２】
従来の飲料用紙容器は、例えば、少なくとも胴部と、この胴部の上端に設けた天部と、胴部の下端に設けた底部とから構成され、内容物に、コーヒーや紅茶、日本茶、またはジュースなどの清涼飲料水、あるいはスープなどを収容している。
【０００３】
このような飲料用紙容器には、例えば商品の販売促進活動やメーカーのイメージアップ戦略として、商品購入者（消費者）に対し、くじや懸賞などのキャンペーンを開催する場合があり、例えば特許文献１に示すように、このキャンペーンの応募用情報データを有する隠蔽情報としての二次元バーコードを、製品紙容器の三角屋根状天面部の外面内側への谷折り部にかかる位置または谷折り部に近接する位置に設けたものがある。
【先行技術文献】
【特許文献】
【０００４】
【特許文献１】特開２００７−１６１２９１号公報
【発明の概要】
【発明が解決しようとする課題】
【０００５】
しかしながら、このような特許文献１に記載の飲料用紙容器では、キャンペーンの応募用情報データが、上記のような容器位置に貼付されているため、消費者は製品を購入することなく、店頭などに陳列する製品容器から応募用情報データのみを剥がして持ち帰る、もしくは応募用情報データから情報データだけを携帯電話で読み取り、またはメモに写してキャンペーンに応募することができ、メーカー側の本来の目的から逸脱してしまう場合が多くあった。
また、上記のようなキャンペーン応募用情報データを有する飲料用紙容器は、使用後（飲用後）に容器を容易に潰して折り畳むなどの減容化を行うことができず、容器のリサイクルに向けて利便性が悪いという問題があった。
このため、本発明では、内容物を飲み終えて容器を減容化した際に、隠蔽情報を確認することができるとともに、環境に配慮した減容化に対応した飲料用紙容器を提供するものである。
【課題を解決するための手段】
【０００６】
このため、請求項１に記載の発明は、少なくとも胴部と、該胴部の上端に設けた天部と、前記胴部の下端に設けた底部とからなる容器であって、少なくとも前記天部または／および前記底部に解体補助線を設けた減容可能な飲料用紙容器において、前記容器の内側には、情報データを有する隠蔽情報を設けたことを特徴とする。
【０００７】
請求項２に記載の発明は、請求項１に記載の飲料用紙容器において、前記容器の減容時に、前記解体補助線による前記容器の解体開口部から前記隠蔽情報を視認可能とした前記胴部内に、前記隠蔽情報を設けたことを特徴とする。
【０００８】
請求項３に記載の発明は、請求項１または２に記載の飲料用紙容器において、前記隠蔽情報は、前記天部または前記底部の前記解体補助線による解体開口部の内側面に設けたことを特徴とする。
【０００９】
請求項４に記載の発明は、請求項１〜３のいずれかに記載の飲料用紙容器において、前記隠蔽情報が、インキジェットプリンター用インキおよびレーザープリンター用トナーインキを用いて印字していることを特徴とする。
【発明の効果】
【００１０】
請求項１に記載の発明によれば、少なくとも胴部と、この胴部の上端に設けた天部と、胴部の下端に設けた底部とからなる容器であって、少なくとも天部または／および底部に解体補助線を設けた減容可能な飲料用紙容器において、容器の内側には、情報データを有する隠蔽情報を設けたので、消費者が製品を購入し内容物を飲み終えて容器を減容化した際に、隠蔽情報を確認することができ、不正なキャンペーン応募を防止できるとともに、環境に配慮し減容化に対応した飲料用紙容器とすることができる。
【００１１】
請求項２に記載の発明によれば、容器の減容時に、解体補助線による容器の解体開口部から隠蔽情報を視認可能とした胴部内に、隠蔽情報を設けたので、内容物を飲み終えて空となった容器を解体補助線により容易に解体できるとともに、その解体開口部から隠蔽情報を見ることができ、隠蔽情報を読み取るために容器を減容しなければならず、容器の減容化と隠蔽情報の読み取りを一連の作業で行わせることで、環境に配慮した減容化に対応した飲料用紙容器とすることができる。
【００１２】
請求項３に記載の発明によれば、隠蔽情報は、天部または底部の解体補助線による解体開口部の内側面に設けたので、消費者は、隠蔽情報を得るために空容器を解体補助線により解体して容器を減容しなければならず、環境に配慮した減容化に対応した飲料用紙容器とすることができる。
【００１３】
請求項４に記載の発明によれば、隠蔽情報が、インキジェットプリンター用インキおよびレーザープリンター用トナーインキを用いて印字しているので、食品包装材料用印刷インキであり、衛生上安全に隠蔽情報を容器内面に設けることができる。
【図面の簡単な説明】
【００１４】
【図１】本発明の一例を示す、飲料用紙容器の全体斜視図である。
【図２】飲料用紙容器の構成を示す胴部（ａ）、天部（ｂ）、底部（ｃ）の各平面図である。
【図３】胴部の断面側面図（拡大）である。
【図４】天部の断面側面図（拡大）である。
【図５】飲料用紙容器の開封使用の説明図である。
【図６】天部の解体補助線を用いた容器減容の説明図である。
【図７】胴部内に有する隠蔽情報を解体開口部から読取る場合の説明図である。
【図８】天部内面に有する隠蔽情報を解体開口部から読取る場合の説明図である。
【発明を実施するための形態】
【００１５】
以下、図面を参照しつつ本発明を実施するための最良の形態について説明する。
図１は本発明の一例を示す飲料用紙容器の全体斜視図、図２は飲料用紙容器の構成を示す胴部（ａ）、天部（ｂ）、底部（ｃ）の各平面図である。
【００１６】
本願発明の飲料用紙容器１は、例えば図１に示す形状を有した、内容物にコーヒーや紅茶、日本茶、またはジュースなどの清涼飲料水、あるいはスープなどの飲料用の液体物または流体物を収容するもので、例えば図２に示すように、長方形状の胴部２と、円状の天部３および底部４とから構成され、円筒状に形成した胴部２の天面および底面にそれぞれ天部３および底部４を貼付けて、例えば天部３に設けた飲み口５から内容物を充填し、飲み口５を閉塞する初期シール６を貼着してなるものである。
【００１７】
次に、本願発明の飲料用紙容器１を構成する胴部２や天部３の構成について、その詳細を説明する。図３は胴部の断面側面図（拡大）、図４は天部の断面側面図（拡大）、図５は飲料用紙容器の開封使用の説明図、図６は天部の解体補助線を用いた容器減容の説明図、図７は胴部内に有する隠蔽情報を解体開口部から読取る場合の説明図である。
【００１８】
まず、胴部２は、図３に示すように、紙層７を基材とし、その上面（例えば組立時の容器内側面）および下面（例えば組立時の容器外側面）にはポリエチレン層８，９を積層させる。なお、図３は図２（ａ）の矢視断面図である。
【００１９】
ここで、紙層７にポリエチレン層８を積層させて生成した積層体の、容器組立時に内側となる面（この場合上面）の適宜位置（例えば天部３に近い位置）には、隠蔽情報１０が印字される。各層の厚みは限定しないが、例えば紙層７では、坪量として２００〜３００ｇ／ｍ2程度、ポリエチレン層８，９では１５μｍ程度とすることができる。なお、隠蔽情報１０を含む積層体は上述以外に、例えば紙層７の容器組立時に内側となる面（この場合上面）の適宜位置（例えば天部３に近い位置）に、この隠蔽情報１０を印字した後、ポリエチレン層８を積層させる構成にしてもよい。
【００２０】
この隠蔽情報１０は、くじや懸賞といったキャンペーンなどの内容（くじの内容やキーワード、パスワードあるいは応募方法など）を、二次元バーコードなどにした情報データであって、例えばＱＲコード（登録商標）として印字するものである。
【００２１】
二次元バーコードの種類としては、一次元バーコードを縦に積み重ねたスタック式の、例えばスーパーコード、ＰＤＦ４１７，ＣＯＤＥ−４９，ＣＯＤＥ−１６Ｋなどや、情報データを白黒のセルで縦横のモザイク状にしたマトリックス式の、データマトリックス、マキシコード、ＱＲコード（登録商標）などがある。なお、情報データは二次元バーコードに限定されず、そのまま文字や数字で情報を記載したものであってもよい。
【００２２】
また、隠蔽情報１０は、食品包装材料用印刷インキとして食品衛生上安全なインキジェットプリンター用インキまたは、レーザープリンター用トナーインキを用いて、それぞれインキジェットプリント方式又はレーザープリント方式で印字される。このため、内容物収容側に隠蔽情報１０が設けられていても、衛生上問題なく安全である。
【００２３】
次に、天部３は、胴部２と同じく図４に示すように、紙層７を基材とし、その上面（例えば組立時の容器内側面）および下面（例えば組立時の容器外側面）にはポリエチレン層８，９を積層させる。なお、底部４も天部３と同じ層構成とされる。なお、図４は図２（ｂ）の矢視断面図である。
【００２４】
そして、上記３層からなる天部３を、容器内面となる側から切り刃にて、その厚み方向に半切れ状のスリットを形成してなる解体補助線１１を、例えば平面視十字状（限定しない）に設けるとともに、この解体補助線１１を設けた面上に、解体補助線１１を覆うようにしてポリエチレンフィルム１２をヒートシールで貼着させる。
【００２５】
さらに、上記解体補助線１１およびポリエチレンフィルム１２を有する天部３には、解体補助線１１の交差点から適宜１つの解体補助線１１に沿って、天部３の端部近傍まで適宜形状の飲み口５が形成される。
【００２６】
以上のような構成の胴部２と、天部３と、底部４とを用い、マンドレルなど周知の成型機において、長方形状の胴部２の一方の端縁をもう一方の端縁に重ね合わせて接合させて円筒形状の胴部２とし、胴部２の下部内面および上部内面に、それぞれ円形の底部４および天部３の各外周縁部の内面を接合させ、さらに外周縁部を覆うように胴部２の下端縁部を内方に折り曲げ、底部４の外周縁部の外面に接合させて環状脚部を形成するとともに、胴部２の上部周縁を外方に向けて巻き込んで口縁部を形成させ、胴部と底部を有する飲料用紙容器１を上記周知の方法で作製する。なお、図示しないが、飲料用紙容器１には、飲料を使用者が吸入するためのストローを付属させてもよい。このストローは、例えば透明な小袋に収納されており、その小袋は胴部２に貼り付けることができる。その小袋を胴部２から剥離して小袋を破くことによりストローを取り出すことができる。そして、このストローは周知の伸縮式ストローとして構成してもよい。
【００２７】
ここで、隠蔽情報１０を備える飲料用紙容器１の使用方法を説明する。飲料用紙容器１を購入し、内容物を飲みたい、または隠蔽情報１０を読み取りたいとする消費者は、まず図５（ａ）に示すように、天部３の初期シール６を剥がして飲み口５を開栓し、図５（ｂ）に示すように、飲料用紙容器１を傾けて飲み口５を介して内容物を飲む。
【００２８】
次に、消費者は、内容物を飲み終えて容器が空になると、図６に示すように、胴部２の上部対向位置を指で挟持し、胴部２を押し潰すように押圧すると、口縁部に亀裂（折り目）が入るとともに、解体補助線１１に力が加わり、天部３が飲み口５の開口部から解体補助線１１に沿って開裂する。
【００２９】
このため、天部３の開口面積は、飲み口５に連続する解体補助線１１の開裂によって、飲み口５から拡開し、天部３の開口面積がいっそう広くなり、その広くなった開口部から容器内側の胴部２上部に設けた隠蔽情報１０を容易に視認することができる。
【００３０】
そこで、消費者は、例えば図７に示すように、広くなった開口部を介してカメラ付き携帯電話（情報データを読み取る機器であれば何でもよく、あるいは視認して書き写してもよい）などを翳し操作することで、隠蔽情報１０の二次元バーコードなど情報データを容易に読取ることができる。
【００３１】
このような構成にすることで、消費者は、隠蔽情報１０を入手するために、製品である飲料用紙容器１の内容物を飲み干して容器を空にするとともに、容器をやや押し潰さなければならず、そのためには製品を購入しなければならないことから、不正なキャンペーン応募を防止することができる。また、消費者に容器の減容化を意識させる目的でも重要な効果を与えることができる。
【００３２】
次に、隠蔽情報１０を入手後は、さらに胴部２を押圧することで、口縁部の亀裂を起点に胴部２の縦方向に亘り折れ目が入るとともに、天部３がめくり上がり、胴部２の押圧対向部分が接触（接触させなくてもよい）する。なお、胴部２上部の変形に追従して胴部２の下部および底部４も同様に変形する。
【００３３】
この結果、容器を容易に押し潰し、減容化することができるため、環境に配慮した容器を提供することができる。
【００３４】
なお、上述の例では、天部３のみに解体補助線１１を形成したが、この発明はこれに限られず、底部４にも双方に解体補助線１１を形成してもよい。また、底部４のみに解体補助線１１を形成した場合には、隠蔽情報１０を容器内側となる胴部２の下部に設けることが好ましく、この場合、飲み口５は形成されていないが、解体補助線１１の開裂により生じた開口部から隠蔽情報１０を視認することができる。
【００３５】
本願の隠蔽情報を備える飲料用紙容器１に使用する材料は上記に限定されず、紙層単体、紙層の片面又は両面に高分子樹脂層を積層した積層体、紙層単体や積層体に印刷を設けたものを用いることができる。この高分子樹脂としては、低密度ポリエチレン樹脂、直鎖状低密度ポリエチレン樹脂、中密度ポリエチレン樹脂、アイオノマー樹脂、ポリプロピレン樹脂、ポリメチルペンテン樹脂、ポリエステル系樹脂などを使用してもよい。
【００３６】
次に、隠蔽情報１０を取付ける構成部材は、上述した胴部２に限定されない。図８は  天部内面に有する隠蔽情報を解体開口部から読取る場合の説明図である。
【００３７】
この場合、例えば、容器内側に位置する天部３の、飲み口５および解体補助線１１から外れた位置に隠蔽情報１０が上述同様にして設けられる。
【００３８】
そして、消費者は、上述同様にして内容物を飲み干し、容器を空にした際、図８に示すように、隠蔽情報１０からの情報データ取得および容器減容化のため、胴部２の上部対向位置を指で挟持し、胴部２を押し潰すように押圧すると、口縁部に亀裂（折り目）が入るとともに、解体補助線１１に力が加わり、天部３が飲み口５の開口部から解体補助線１１に沿って開裂する。
【００３９】
このとき、解体補助線１１により複数（本例においては十字状に解体補助線１１を形成したため、天部３が４部分に開裂した例を示したが、これに限定されるものではない）に開裂し、それぞれ上方にめくり上がった天部３の１部分の表面（容器内側面）に隠蔽情報１０が露出する。
【００４０】
そこで、消費者は、上記隠蔽情報１０にカメラ付き携帯電話（情報データを読み取る機器であれば何でもよく、あるいは視認して書き写してもよい）などを翳して操作することで、二次元バーコードなど情報データを容易に読取ることができ、上述同様の効果が得られる。
【００４１】
上述した飲料用紙容器１では、円筒形のものを例に説明したが、この形状に限定されるものではなく、例えば、円錐台形や三角形、四角形、多角形などの紙容器あるいは、屋根型カートン、煉瓦型カートン、三角錐型カートンなどにも用いることができる。
【実施例１】
【００４２】
紙層７を基材として胴部２の容器内面側にポリエチレン層８を、容器外面側にポリエチレン層９をそれぞれ積層し、この積層体の容器内面側に隠蔽情報１０を印字後、断裁、スリット加工して胴紙の胴部２と底紙の底部４を作製した。その後、底部４に容器内面側から切り刃にて半切れ状の解体補助線１１を施し、さらに解体補助線１１を覆うようにポリエチレンフィルム１２をヒートシールで底部４に貼り付けた後、一般的に公知の紙カップ成型機で紙カップを成型した。また、内部に水を充填し容器上面に天部３を取り付け市販されている形状を作製した。成型された本容器を倒置し、漏れがないことを確認後、内容物を飲み終えた場合を想定し水を捨て、容器上部を持ち減容化後、天部３の開口部から容器の胴部２内面の隠蔽情報１０を目視にて確認することが可能であった。
【実施例２】
【００４３】
紙層７を基材として胴部２の容器内面側にポリエチレン層８を、容器外面側にポリエチレン層９をそれぞれ積層し、この積層体の容器内面側に隠蔽情報１０を印字後、断裁、スリット加工して胴紙の胴部２と底紙の底部４を作製した。その後、底部４に容器内面側から切り刃にて半切れ状の解体補助線１１を施し、さらに解体補助線１１を覆うようにポリエチレンフィルム１２をヒートシールで底部４に貼り付けた後、一般的に公知の紙カップ成型機で紙カップを成型した。また、内部に水を充填し容器上面に天部３を取り付け市販されている形状を作製した。成型された本容器を倒置し、漏れがないことを確認後、内容物を飲み終えた場合を想定し水を捨て、容器上部を持ち減容化後、天部３の開口部から容器の胴部２内面の隠蔽情報１０をカメラ付き携帯電話などの読み取り機を使用して読み取ることが可能であった。
【００４４】
以上詳述したように、本願発明の飲料用紙容器１は、少なくとも胴部２と、この胴部２の上端に設けた天部３と、胴部２の下端に設けた底部４とからなる容器であって、少なくとも天部３または／および底部４に解体補助線１１を設けた減容可能とし、容器の内側には、情報データを有する隠蔽情報１０を設けたものである。
【産業上の利用可能性】
【００４５】
本発明によれば、飲料などの内容物を収容した円筒形や、円錐台形や三角形、四角形、多角形などの紙容器あるいは、屋根型カートン、煉瓦型カートン、三角錐型カートンなど、あらゆる飲料用紙容器に適用することができる。
【符号の説明】
【００４６】
１    飲料用紙容器
２    胴部
３    天部
４    底部
５    飲み口
６    初期シール
７    紙層
８，９    ポリエチレン層
１０    隠蔽情報
１１    解体補助線
１２    ポリエチレンフィルム
【図１】
2014156249.tif 000003
【図２】
2014156249.tif 000004
【図３】
2014156249.tif 000005
【図４】
2014156249.tif 000006
【図５】
2014156249.tif 000007
【図６】
2014156249.tif 000008
【図７】
2014156249.tif 000009
【図８】
2014156249.tif 000010